(57)【要約】【課題】安価で製造しやすい樹脂性のポンプユニットを利用しながら、製品全体の耐久性を向上させることができる石鹸液供給装置を提供することを目的とする。【解決手段】カウンタを貫く取付管と、前記カウンタの下方に設けられ、前記取付管と接続された石鹸液タンクであって、石鹸液が前記カウンタの上方から前記取付管を介して補充される石鹸液タンクと、少なくとも一部が前記カウンタの上方に設けられ、前記取付管と着脱可能に接続された本体部と、を備え、前記本体部は、前記石鹸液タンク内の石鹸液を送る液ポンプと、空気を送るエアポンプと、を有するポンプユニットと、前記ポンプユニットの少なくとも一部を内部に収納する外郭部材と、を有し、前記液ポンプ及び前記エアポンプのそれぞれは、樹脂で構成されており、前記ポンプユニットは、前記外郭部材に対して着脱可能であることを特徴とする石鹸液供給装置が提供される。【選択図】図１
2018051028.tif 000002
【特許請求の範囲】
【請求項１】
カウンタを貫く取付管と、
前記カウンタの下方に設けられ、前記取付管と接続された石鹸液タンクであって、石鹸液が前記カウンタの上方から前記取付管を介して補充される石鹸液タンクと、
少なくとも一部が前記カウンタの上方に設けられ、前記取付管と着脱可能に接続された本体部と、
を備え、
前記本体部は、
前記石鹸液タンク内の石鹸液を送る液ポンプと、空気を送るエアポンプと、を有するポンプユニットと、
前記ポンプユニットの少なくとも一部を内部に収納する外郭部材と、
を有し、
前記液ポンプ及び前記エアポンプのそれぞれは、樹脂で構成されており、
前記ポンプユニットは、前記外郭部材に対して着脱可能であることを特徴とする石鹸液供給装置。
【請求項２】
前記外郭部材の少なくとも表面は、金属で構成されていることを特徴とする請求項１記載の石鹸液供給装置。
【請求項３】
前記ポンプユニットは、把手部を有するＣリングにより前記外郭部材から抜け止めされることを特徴とする請求項１または２に記載の石鹸液供給装置。
【請求項４】
前記本体部は、前記ポンプユニットの少なくとも一部を覆うカバー部材を有し、
前記Ｃリングは、前記カバー部材と前記外郭部材との間に取り付けられることを特徴とする請求項３記載の石鹸液供給装置。
【請求項５】
前記ポンプユニットは、フランジ部を有し、
前記カバー部材は、前記フランジ部において前記ポンプユニットを支持し、前記Ｃリングによって前記外郭部材に取り付けられることを特徴とする請求項４記載の石鹸液供給装置。
【請求項６】
一端が前記取付管または前記石鹸液タンクに対して着脱可能に係止され、前記本体部の着脱時に前記本体部が盗難されてしまうことを抑制する盗難防止用部材をさらに備え、
前記盗難防止用部材の他端が前記カバー部材に取り付けられたことを特徴とする請求項４または５に記載の石鹸液供給装置。
【請求項７】
前記ポンプユニットは、ポリプロピレンを含み、
前記外郭部材は、銅を含み、
前記ポンプユニットは、前記外郭部材と離間したことを特徴とする請求項１〜６のいずれか１つに記載の石鹸液供給装置。
【請求項８】
前記ポンプユニットは、ポリプロピレンを含み、
前記外郭部材は、銅を含み、
前記カバー部材は、前記ポンプユニットと前記外郭部材との間を遮断することを特徴とする請求項４〜６のいずれか１つに記載の石鹸液供給装置。
【発明の詳細な説明】
【技術分野】
【０００１】
本発明の態様は、一般的に、石鹸液供給装置に関する。
【背景技術】
【０００２】
石鹸液と空気とを混合して、石鹸液を泡状にして吐出する石鹸液供給装置が、従来から用いられている。例えば、特許文献１には、液シリンダ、液ピストン、エアシリンダ及びエアピストンによって、水石けん液とエアを混合し、水石けん液をムース状となして吐出するソープディスペンサーが開示されている。
【先行技術文献】
【特許文献】
【０００３】
【特許文献１】特許第４９７９６０２号公報
【発明の概要】
【発明が解決しようとする課題】
【０００４】
石鹸液供給装置が駅や商業施設などの所謂パブリック空間で利用される場合には、家庭での使用に比べて使用回数が多いこと、乱雑に扱われる可能性が高いこと等から、故障が発生する可能性が高く、求められる耐久性のハードルが高い。このような環境での使用にあたって、従来は特許文献１などに示されているように、ソープディスペンサーを、金属を中心とした材料で構成することが一般的であった。  
一方で、ピストン及びシリンダを有し、石鹸液と空気とを混合するポンプユニットの材料には、例えば、樹脂を用いることで、複雑な構成でも安価で簡単に製造ができるようになる。しかし、ポンプユニットの材料に樹脂を用いた場合は、金属を用いた場合に比べて、ポンプユニットの耐久性が低くなる傾向にある。このため、ポンプユニットが故障しやすく、製品全体の耐久性が低くなってしまうという課題が存在した。
【０００５】
本発明は、かかる課題の認識に基づいてなされたものであり、安価で製造しやすい樹脂性のポンプユニットを利用しながら、製品全体の耐久性を向上させることができる石鹸液供給装置を提供することを目的とする。
【課題を解決するための手段】
【０００６】
第１の発明は、カウンタを貫く取付管と、前記カウンタの下方に設けられ、前記取付管と接続された石鹸液タンクであって、石鹸液が前記カウンタの上方から前記取付管を介して補充される石鹸液タンクと、少なくとも一部が前記カウンタの上方に設けられ、前記取付管と着脱可能に接続された本体部と、を備え、前記本体部は、前記石鹸液タンク内の石鹸液を送る液ポンプと、空気を送るエアポンプと、を有するポンプユニットと、前記ポンプユニットの少なくとも一部を内部に収納する外郭部材と、を有し、前記液ポンプ及び前記エアポンプのそれぞれは、樹脂で構成されており、前記ポンプユニットは、前記外郭部材に対して着脱可能であることを特徴とする石鹸液供給装置である。
【０００７】
この石鹸液供給装置によれば、ポンプユニットと外郭部材とを別体で構成することによって、コストや成型性に優れた樹脂でポンプユニットを構成しながら、外郭部材でポンプユニットを保護することができるようになり、製品全体の耐久性を向上させることができる。また、ポンプユニットが外郭部材から着脱可能であるため、耐久性に劣るポンプユニットが故障した場合であっても、簡単にメンテナンスすることが出来、製品全体の寿命を向上させることができる。
なお、本明細書における「樹脂で構成されている」とはその大部分が樹脂によって構成されていればよく、内部などに金属製の部材、たとえば逆止弁などが設けられているものを含む。
【０００８】
第２の発明は、第１の発明において、前記外郭部材の少なくとも表面は、金属で構成されていることを特徴とする石鹸液供給装置である。
【０００９】
この石鹸液供給装置によれば、外郭部材の表面の金属により本体部の耐久性を向上させることができる。
【００１０】
第３の発明は、第１または第２の発明において、前記ポンプユニットは、把手部を有するＣリングにより前記外郭部材から抜け止めされることを特徴とする石鹸液供給装置である。
【００１１】
この石鹸液供給装置によれば、Ｃリングによってポンプユニットの抜け止めができるとともに、把手部によりＣリングに力を加えることができる。これにより、Ｃリングを縮径して、簡単にポンプユニットを取り外すことができる。
【００１２】
第４の発明は、第３の発明において、前記本体部は、前記ポンプユニットの少なくとも一部を覆うカバー部材を有し、前記Ｃリングは、前記カバー部材と前記外郭部材との間に取り付けられることを特徴とする石鹸液供給装置である。
【００１３】
この石鹸液供給装置によれば、ポンプユニットはカバー部材を介して外郭部材にＣリングにより取り付けられているため、本体部やポンプユニットの着脱時に、ポンプユニットが傷つくことを抑制できる。
【００１４】
第５の発明は、第４の発明において、前記ポンプユニットは、フランジ部を有し、
前記カバー部材は、前記フランジ部において前記ポンプユニットを支持し、前記Ｃリングによって前記外郭部材に取り付けられることを特徴とする石鹸液供給装置である。
【００１５】
ポンプユニットは、内部がシリンダ室であり空洞である。そのため、ポンプユニットの底部などに直接力が作用してしまうと、変形し破損してしまう恐れがある。この石鹸液供給装置によれば、ポンプユニットはフランジ部でカバー部材に支持されているため、ハンドルに大きな力が加わった場合であっても、ポンプユニットの底部は力を受けない。これにより、ポンプユニットの破損を抑制できる。
【００１６】
第６の発明は、第４または第５の発明において、一端が前記取付管または前記石鹸液タンクに対して着脱可能に係止され、前記本体部の着脱時に前記本体部が盗難されてしまうことを抑制する盗難防止用部材をさらに備え、前記盗難防止用部材の他端が前記カバー部材に取り付けられたことを特徴とする石鹸液供給装置である。
【００１７】
この石鹸液供給装置によれば、ポンプユニットに直接盗難防止ワイヤが取り付けられないため、ポンプユニットの破損を抑制できる。
【００１８】
第７の発明は、第１〜第６のいずれか１つの発明において、前記ポンプユニットは、ポリプロピレンを含み、前記外郭部材は、銅を含み、前記ポンプユニットは、前記外郭部材と離間したことを特徴とする石鹸液供給装置である。
【００１９】
この石鹸液供給装置によれば、一般的に銅に触れる状態で長時間放置すると、酸化劣化の進行が加速され、寿命が短くなるが、離間させることでポリプロピレンが銅によって劣化することを抑制できる。
【００２０】
第８の発明は、第４〜第６のいずれか１つの発明において、前記ポンプユニットは、ポリプロピレンを含み、前記外郭部材は、銅を含み、前記カバー部材は、前記ポンプユニットと前記外郭部材との間を遮断することを特徴とする石鹸液供給装置である。
【００２１】
この石鹸液供給装置によれば、カバー部材により、ポンプユニットの着脱時の保護と、ポリプロピレンの銅による劣化の抑制と、の両方を行うことができる。
【発明の効果】
【００２２】
本発明の態様によれば、コストや成型性に優れた樹脂でポンプユニットを構成しながら、ポンプユニットのメンテナンス性を向上させ、製品全体の耐久性を向上させることができる石鹸液供給装置が提供される。
【図面の簡単な説明】
【００２３】
【図１】図１（ａ）及び図１（ｂ）は、実施形態に係る石鹸液供給装置を例示する斜視図である。
【図２】図２（ａ）及び図２（ｂ）は、実施形態に係る石鹸液供給装置を例示する斜視図及び側面図である。
【図３】実施形態に係る石鹸液供給装置を例示する断面図である。
【図４】図４（ａ）及び図４（ｂ）は、実施形態に係る石鹸液供給装置を例示する分解図である。
【図５】実施形態に係る石鹸液供給装置を例示する断面図である。
【図６】外郭部材、カバー部材及びポンプユニットを例示する斜視図である。
【図７】Ｃリングを例示する斜視図である。
【図８】外郭部材、カバー部材及びポンプユニットを例示する平面図である。
【図９】図９（ａ）及び図９（ｂ）は、実施形態に係る石鹸液供給装置を例示する断面図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る石鹸液供給装置を例示する斜視図である。  
図１（ａ）及び図１（ｂ）に示すように、実施形態に係る石鹸液供給装置１００は、カウンタ２００に取り付けられる。この例では、カウンタ２００は、ボウル２１０と一体に設けられている。カウンタ２００とボウル２１０とは別々に設けられてもよい。カウンタ２００の材料には、陶器、樹脂又は木材など任意の材料を用いることができる。
【００２５】
石鹸液供給装置１００は、石鹸液を泡状に変換し、ボウル２１０へ向けて吐出する。石鹸液供給装置１００は、例えば、駅や街の公共設備に設置されるパブリック用の装置である。
【００２６】
図１（ａ）及び図１（ｂ）に示すように、カウンタ２００には、水栓装置２２０が設けられていてもよい。水栓装置２２０は、ボウル２１０へ向けて水を吐出する。
【００２７】
図２（ａ）は、実施形態に係る石鹸液供給装置を例示する斜視図である。  
図２（ｂ）は、実施形態に係る石鹸液供給装置を例示する側面図である。  
図３は、実施形態に係る石鹸液供給装置を例示する断面図である。  
石鹸液供給装置１００は、取付管１２と、石鹸液タンク１４と、本体部１５と、を有する。
【００２８】
図３に示すように、取付管１２は、カウンタ２００を貫く。取付管１２は、カウンタ２００の下方のナット２２によって、カウンタ２００に固定される。ナット２２とカウンタ２００との間には、ワッシャやパッキン２１が設けられる。
【００２９】
石鹸液タンク１４は、カウンタ２００の下方に設けられ、継手２３により、取付管１２に接続される。継手２３と取付管１２との間や、継手２３と石鹸液タンク１４との間には、適宜パッキン２３ａ、２３ｂなどが設けられる。石鹸液タンク１４の内部には石鹸液が収容される。
【００３０】
本体部１５の少なくとも一部は、カウンタ２００よりも上方に設けられる。本体部１５は、取付管１２に着脱可能に接続されている。
【００３１】
本体部１５の下端には、石鹸液タンク１４の内部まで延びるホース部２５が接続されている。ホース部２５は、ホース２５ｃと、ホース２５ｃの先端に継手２５ｂを介して接続されたフィルタ２５ａと、を有する。
【００３２】
図４（ａ）及び図４（ｂ）は、実施形態に係る石鹸液供給装置を例示する分解図である。  
図４（ａ）は、取付管１２及び本体部１５を分解した様子を示し、図４（ｂ）は、図４（ａ）の断面を示す。  
本体部１５は、ハンドル部４０と、樹脂部材４２と、製泡部材４４（フィルタ）と、外郭部材４６と、パッキン４８と、キャップ２６と、ポンプユニット３０と、カバー部材２８と、Ｃリング２９（抜け止め部材）と、を有する。
【００３３】
図４（ｂ）に示すように、ポンプユニット３０は、液ポンプ３１と、エアポンプ３２と、を有する。液ポンプ３１は、石鹸液タンク１４内の石鹸液をホース部２５を介して下方から取り込み、取り込んだ石鹸液を上方へ送る。エアポンプ３２は、空気を取り込み、取り込んだ空気を上方へ送る。これにより、ポンプユニット３０は、石鹸液と空気との混合物（混合液）を、上方のハンドル部４０へ送る。液ポンプ３１及びエアポンプ３２（後述するピストンやシリンダ）は、それぞれ、樹脂で構成されている。例えば、液ポンプ３１の材料及びエアポンプ３２の材料のそれぞれには、ポリプロピレン（polypropylene：ＰＰ）を用いることができる。
【００３４】
カバー部材２８は、筒状であり、ポンプユニット３０の少なくとも一部を覆う。例えば、図４（ｂ）に示すように、カバー部材２８は、ポンプユニット３０の下部を覆うように取り付けられる。ポンプユニット３０の上部には、キャップ２６が取り付けられる。
【００３５】
カバー部材２８及びキャップ２６は、樹脂で構成されている。例えば、カバー部材２８の材料には、ポリフェニレンスルファイド（polyphenylenesulfide：ＰＰＳ）を用いることができる。
【００３６】
外郭部材４６は、筒状であり、カバー部材２８及びポンプユニット３０の少なくとも一部を覆う（図３及び図４（ｂ）参照）。換言すれば、ポンプユニット３０の少なくとも一部は、外郭部材４６の内部に収納される。外郭部材４６の少なくとも表面は、金属で構成されている。例えば、外郭部材４６は、金属製であるが、プラスチック等の非金属に金属メッキが施されたものであってもよい。外郭部材４６に用いられる金属は、例えば、銅を含む合金（銅系合金）である。
【００３７】
Ｃリング２９は、カバー部材２８の外周と、外郭部材４６の内周と、の間に取り付けられる（図３参照）。これにより、カバー部材２８に覆われたポンプユニット３０は、Ｃリング２９によって外郭部材４６から抜け止めされる。Ｃリング２９を取り外すことにより、外郭部材４６から、カバー部材２８に覆われたポンプユニット３０を抜き取ることができる。すなわち、ポンプユニット３０は、外郭部材４６に対して着脱可能である。
【００３８】
ハンドル部４０は、ポンプユニット３０に対して着脱可能に接続される。ハンドル部４０の下部に設けられた凹凸４０ａ（例えば溝やスナップフィットなど）と、ポンプユニット３０の上部に設けられた凹凸３０ａとは、直接的又は間接的に係合する。ハンドル部４０を回転させながら上方に引っ張ることで、ハンドル部４０を取り外すことができる。外郭部材４６と同様に、ハンドル部４０の少なくとも表面は、金属で構成されている。
【００３９】
ハンドル部４０は、下方に押し込まれることで、外郭部材４６に対して摺動し、ポンプユニット３０を駆動する。これにより、ポンプユニット３０は、石鹸液と空気との混合物を上方へ送る。また、ハンドル部４０は、ハンドル部４０の上部から側方に延びるノズル４１を有する。
【００４０】
樹脂部材４２は、ハンドル部４０の下方から、ハンドル部４０の内側に嵌め込まれる。樹脂部材４２は、ハンドル部４０が押し込まれたときに、ハンドル部４０と外郭部材４６とが直接ぶつかることを防ぎ、摺動をスムーズにするガイド部材として機能する。
【００４１】
製泡部材４４は、ポンプユニット３０とハンドル部４０との接続部に設けられる。製泡部材４４は、複数の孔（例えば網）を有する。ポンプユニット３０から送られた石鹸液及び空気の混合物は、製泡部材４４を通ってハンドル部４０内に導かれる。混合物は、製泡部材４４を通ることにより、きめ細かい泡に変換される。その後、混合物（泡）は、ハンドル部４０及びノズル４１を通って、ノズル４１の吐出口４１ｅから吐出される。
【００４２】
本体部１５は、取付管１２と着脱可能に接続される。具体的には、図４（ａ）に示すように、ポンプユニット３０の下部には凹凸３０ｂ（例えばスナップフィット）が設けられており、図４（ｂ）に示すように、取付管１２の上部の内側に凹凸１２ｂが設けられている。凹凸３０ｂと凹凸１２ｂとが係合することで、本体部１５は、取付管１２に取り付けられる。本体部１５を上方へ引っ張ることで、本体部１５を取付管１２から取り外すことができる。
【００４３】
本体部１５を取り外した後、カウンタ２００の上方に位置する取付管１２の開口１２ａから、取付管１２を介して、石鹸液タンク１４に石鹸液が補充される。
【００４４】
図５は、実施形態に係る石鹸液供給装置を例示する断面図である。  
図５は、ポンプユニット３０近傍の一部の拡大図である。ポンプユニット３０は、ピストン３３及びシリンダ３４を有する。ピストン３３及びシリンダ３４により、前述の液ポンプ３１及びエアポンプ３２が形成される。
【００４５】
シリンダ３４は、カバー部材２８に支持されている。  
ピストン３３は、エアピストン３３ａとリキッドピストン３３ｂとを有する。エアピストン３３ａ及びリキッドピストン３３ｂは、それぞれ、シリンダ３４に対して上下に摺動可能である。リキッドピストン３３ｂとシリンダ３４とによって、石鹸液を内部に貯留する液室ＲＬが形成される。エアピストン３３ａとシリンダ３４とによって、内部に空気を溜める空気室ＲＡが形成される。また、液室ＲＬ及び空気室ＲＡの上方には、混合室ＲＭが形成されている。
【００４６】
液室ＲＬの下端には、ボール３９（逆止弁）が設けられる。液室ＲＬは、取付管１２を介して石鹸液タンク１４に接続されているが、石鹸液供給装置１００の待機時においては、液室ＲＬの下端はボール３９によって塞がれている。
【００４７】
液室ＲＬの内部には、インナーロッド３５、プラグ３７及びスプリング３８が設けられる。プラグ３７は、インナーロッド３５及びスプリング３８を保持する。スプリング３８は、その弾性力によって、ピストン３３を上方に付勢する。インナーロッド３５の上部は、混合室ＲＭまで延びており、混合室逆止弁３６ｃとなる。
【００４８】
使用者がハンドル部４０を下方へ押し込むと、ハンドル部４０を押し込む力（操作力）がピストン３３に伝達される。これにより、エアピストン３３ａ及びリキッドピストン３３ｂは下方へ移動する。すると、液室ＲＬの容積が減少するため、液室ＲＬ内の石鹸液は、混合室逆止弁３６ｃを通って混合室ＲＭに流入する。このとき、液室ＲＬの下端は、ボール３９によって閉じられた状態である。またスプリング３８は縮まっている。
【００４９】
同時に、空気室ＲＡの容積が減少するため、空気室ＲＡ内の空気は、エアピストン３３ａに設けられた逆止弁３６ａおよび混合室逆止弁３６ｃを通って、混合室ＲＭに流入する。このとき、エアピストン３３ａに設けられた逆止弁３６ｂは、閉じている。
【００５０】
混合室ＲＭ内では、空気及び石鹸液が混合される。そして、混合物は、混合室ＲＭの上部に設けられた小孔Ｐから、製泡部材４４及びハンドル部４０へ吐出される。以上により、ノズル４１から石鹸の泡が吐出される。
【００５１】
その後、使用者がハンドル部４０から手を放すと、縮んでいたスプリング３８の弾性力によって、エアピストン３３ａ及びリキッドピストン３３ｂは、上方へ移動する。すると、液室ＲＬの容積が増大し、液室ＲＬ内に負圧が生じる。このとき、混合室逆止弁３６ｃは閉まり、ボール３９が上昇する。これにより、下方の石鹸液タンク１４から液室ＲＬ内に石鹸液が供給され、液室ＲＬ内は石鹸液で満たされる。
【００５２】
同時に、空気室ＲＡの容積が増大し、空気室ＲＡ内に負圧が生じる。このとき、逆止弁３６ａは閉まり、逆止弁３６ｂが開く。これにより、空気室ＲＡには、外部から空気が供給される。以上により、石鹸液供給装置１００は、待機状態に戻る。
【００５３】
以上、実施形態に係る石鹸液供給装置１００の構造及び動作について説明した。  
ポンプユニット３０の材料に樹脂を用いることにより、例えば、製造コストを抑えることができる。一方、材料に樹脂を用いた場合は、材料に金属を用いた場合に比べて、ポンプユニットの耐久性が低くなりやすい。そこで、ポンプユニットが故障した場合のメンテナンス性を向上させることが望まれる。特に、石鹸液供給装置１００がパブリック用であると、故障しやすい場合がある。
【００５４】
そこで、実施形態においては、図３、図４（ａ）及び図４（ｂ）に関して説明したように、ポンプユニット３０を外郭部材４６から着脱可能としている。これにより、ポンプユニット３０が故障したとしても、ポンプユニット３０のみを交換することができる。したがって、メンテナンス性を向上させることができる。
【００５５】
ポンプユニット３０の着脱の具体例について説明する。  
図６は、外郭部材、カバー部材及びポンプユニットを例示する斜視図である。  
説明の便宜上、外郭部材４６の一部が省略され、断面が表示されている。  
図７は、Ｃリングを例示する斜視図である。
【００５６】
すでに述べた通り、カバー部材２８は、ポンプユニット３０の外周の少なくとも一部を覆う。図６に示すように、カバー部材２８は、上部２８ａ及び下部２８ｂを有する。上部２８ａの径は、下部２８ｂの径よりも大きい。
【００５７】
カバー部材２８の周りを覆う外郭部材４６の内周（内壁）には、段差部４７が設けられる。段差部４７は、径の大きい第１部分４７ａと、径の小さい第２部分４７ｂと、により形成されている。
【００５８】
Ｃリング２９は、カバー部材２８の下部２８ｂと、段差部４７の第１部分４７ａとの間に取り付けられる。図７に示すようにＣリング２９は、リングの円周上に並ぶ２つの把手部２９ａを有する。この例では、把手部２９ａは、概略Ｃ字形状のリングの両端に設けられた孔である。
【００５９】
例えば、Ｃリング２９の外径は、外郭部材４６の第１部分４７ａの径よりも小さく、第２部分４７ｂの径よりも大きい。これにより、Ｃリング２９は、段差部４７によって支持される。そして、Ｃリング２９の内径は、カバー部材２８の上部２８ａの径よりも小さく、下部２８ｂの径よりも大きい。これにより、カバー部材２８及びポンプユニット３０は、Ｃリング２９によって支持される。以上により、ポンプユニット３０及びカバー部材２８は、Ｃリング２９を介して、外郭部材４６に支持され、抜け止めされている。
【００６０】
図８は、外郭部材、カバー部材及びポンプユニットを例示する平面図である。  
図８は、本体部１５を下方から眺めた状態に対応する。ポンプユニット３０を外郭部材４６から取り外す際には、まず、本体部１５を取付管１２から取り外す。その後、図８に示した状態において、Ｃリング２９を摘まむ。具体的には、把手部２９ａの２つの孔に、例えばピンセット状の工具等を通して、把手部２９ａにＣリング２９が縮径するように力を加える。Ｃリング２９の材料には、例えば樹脂や金属が用いられ、Ｃリング２９は、加えられた力に応じて縮径可能である。これにより、カバー部材２８及びポンプユニット３０を外郭部材４６から抜き取ることができる。
【００６１】
以上説明したように、実施形態によれば、把手部を有するＣリングを用いることにより、ポンプユニット３０の抜け止めができるとともに、Ｃリング２９を縮径して、簡単にポンプユニット３０を取り外すことができる。
【００６２】
また、ポンプユニット３０は、カバー部材２８を介して外郭部材４６に取り付けられているため、本体部１５やポンプユニット３０の着脱時に、ポンプユニットが傷つくことを抑制できる。
【００６３】
ポンプユニット３０に耐薬品性の高いＰＰを用い、外郭部材４６に銅を含む合金を用いた場合、ＰＰは、銅と接触することで劣化しやすい。これに対して、実施形態においては、ポンプユニット３０は、外郭部材４６と離間しており、外郭部材４６と接触していない。具体的には、カバー部材２８によって、ポンプユニット３０と外郭部材４６との間は遮断されている。これにより、ポンプユニット３０の劣化を抑制できる。すなわち、カバー部材２８を設けることで、ポンプユニット３０の着脱時の保護と、ＰＰの銅による劣化の抑制と、の両方を行うことができる。
【００６４】
図９（ａ）及び図９（ｂ）は、実施形態に係る石鹸液供給装置を例示する断面図である。  
図９（ａ）は、カウンタ２００の上方における石鹸液供給装置１００の断面図であり、図９（ｂ）は、カウンタ２００に取り付けられた取付管１２の断面図である。
【００６５】
図９（ａ）に示したように、ポンプユニット３０のシリンダ３４の上部（上端）には、フランジ部３４ｆが設けられる。フランジ部３４ｆは、カバー部材２８の上端２８ｅの上に載せられており、上端２８ｅと接触している。これにより、ポンプユニット３０は、フランジ部３４ｆにおいてカバー部材２８に支持される。例えば、シリンダ３４は、フランジ部３４ｆによって、カバー部材２８の上端２８ｅから吊り下げられている。ポンプユニット３０は、カバー部材２８及びＣリング２９を介して、外郭部材４６に取り付けられている。
【００６６】
これにより、ハンドル部４０が押し込まれて、ピストン３３に上方から操作力が加えられても、ポンプユニット３０の底部（シリンダ３４の底部）には、直接、操作力が伝達されない。したがって、ポンプユニット３０の破損を抑制することができる。
【００６７】
石鹸液供給装置１００は、盗難防止用ワイヤ５０（盗難防止用部材）をさらに有する。盗難防止用ワイヤ５０は、本体部１５の着脱時に本体部が盗難されてしまうことを抑制する。図９（ａ）に示したように、盗難防止用ワイヤ５０の一端は、カバー部材２８に取り付けられる。図９（ｂ）に示したように、盗難防止用ワイヤ５０の他端は、取付管１２の内部または石鹸液タンク１４に対して着脱可能に係止される。
【００６８】
このように、カバー部材２８に盗難防止用ワイヤ５０を取り付けることにより、ポンプユニット３０に直接ワイヤを取り付ける必要がなく、ポンプユニット３０の破損を抑制できる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付管、石鹸液タンクおよび本体部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１２ 取付管、  １２ａ 開口、  １２ｂ 凹凸、  １４ 石鹸液タンク、  １５ 本体部、  ２１ パッキン、  ２２ ナット、  ２３ 継手、  ２３ａ、２３ｂ パッキン、  ２５ ホース部、  ２５ａ フィルタ、  ２５ｂ 継手、  ２５ｃ ホース、  ２６ キャップ、  ２８ カバー部材、  ２８ａ 上部、  ２８ｂ 下部、  ２８ｅ 上端、  ２９ Ｃリング、  ２９ａ 把手部、  ３０ ポンプユニット、  ３０ｂ 凹凸、  ３１ 液ポンプ、  ３２ エアポンプ、  ３３ ピストン、  ３３ａ エアピストン、  ３３ｂ リキッドピストン、  ３４ シリンダ、  ３４ｆ フランジ部、  ３５ インナーロッド、  ３６ａ 逆止弁、  ３６ｂ 逆止弁、  ３６ｃ 混合室逆止弁、  ３７ プラグ、  ３８ スプリング、  ３９ ボール、  ４０ ハンドル部、  ４１ ノズル、  ４１ｅ 吐出口、  ４２ 樹脂部材、  ４４ 製泡部材、  ４６ 外郭部材、  ４７ 段差部、  ４７ａ 第１部分、  ４７ｂ 第２部分、  ４８ パッキン、  ５０ 盗難防止用ワイヤ、  １００ 石鹸液供給装置、  ２００ カウンタ、  ２１０ ボウル、  ２２０ 水栓装置、  ＲＡ 空気室、  ＲＬ 液室、  ＲＭ 混合室
【図１】
2018051028.tif 000003
【図２】
2018051028.tif 000004
【図３】
2018051028.tif 000005
【図４】
2018051028.tif 000006
【図５】
2018051028.tif 000007
【図６】
2018051028.tif 000008
【図７】
2018051028.tif 000009
【図８】
2018051028.tif 000010
【図９】
2018051028.tif 000011